(57)【要約】【課題】三脚の取り付け状態を正確に検出することができるカメラを提供する。【解決手段】カメラ本体３の底面に、三脚２０の取り付けネジ２１が取り付け可能な三脚穴１６を設ける。三脚穴１６内の入り口近傍に第１検出スイッチ２２を配設し、第１検出スイッチ２２より三脚穴１６内の側面の奥方向の端部に第２検出スイッチ２３を配設する。第１及び第２検出スイッチ２２，２３は、三脚穴１６への取り付けネジ２１の取り付けに応じてオン／オフする。第１及び第２検出スイッチ２２，２３の各オン／オフ状態を検出することにより、三脚２０の取り付け状態を正確に検出することができる。【選択図】図３
2008233325.tif 000002
【特許請求の範囲】
【請求項１】
三脚の取り付けネジが取り付けられる三脚穴を有するカメラにおいて、
前記三脚穴内の入り口近傍に配設され、前記取り付けネジの取り付けに応じてオン／オフする第１検出スイッチと、
前記第１検出スイッチより前記三脚穴内の奥方向に配設され、前記取り付けネジの取り付けに応じてオン／オフする第２検出スイッチと、
を備えたことを特徴とするカメラ。
【請求項２】
前記第２検出スイッチは、前記三脚穴の側面の奥方向の端部に配設されていることを特徴とする請求項１に記載のカメラ。
【請求項３】
前記第２検出スイッチは、前記三脚穴の底面に配設されていることを特徴とする請求項１に記載のカメラ。
【請求項４】
前記第１及び第２検出スイッチのオン／オフ状態に応じて警告を報知する警告報知手段を備えたことを特徴とする請求項１から３いずれか１項に記載のカメラ。
【請求項５】
前記警告報知手段は、警告を光または音により報知することを特徴とする請求項４に記載のカメラ。
【請求項６】
前記警告報知手段は、前記第１検出スイッチがオンでかつ前記第２検出スイッチがオフである状態が一定時間継続した場合に警告を報知することを特徴とする請求項４または５に記載のカメラ。
【請求項７】
前記警告報知手段は、前記第１検出スイッチがオフでかつ前記第２検出スイッチがオンの場合に警告を報知することを特徴とする請求項４から６いずれか１項に記載のカメラ。
【請求項８】
前記警告報知手段は、警告の報知を開始した後、一定時間経過後に報知を終了することを特徴とする請求項６または７に記載のカメラ。
【請求項９】
前記警告報知手段の警告報知動作を操作設定により事前に解除可能とする警告解除設定手段を備えたことを特徴とする請求項４から８いずれか１項に記載のカメラ。
【請求項１０】
複数の撮影モードを有し、前記第１及び第２検出スイッチがオンとなった場合に、撮影モードを所定の撮影モードに変更する撮影モード自動変更手段を備えたことを特徴とする請求項１から９いずれか１項に記載のカメラ。
【請求項１１】
手振れ補正モードを有し、前記撮影モード自動変更手段は、前記第１及び第２検出スイッチがオンとなった場合に、前記手振れ補正モードを解除することを特徴とする請求項１０に記載のカメラ。
【請求項１２】
複数の撮影モードを有し、前記第１及び第２検出スイッチがオンとなった場合に、操作設定により任意の撮影モードを選択可能とする撮影モード手動設定手段を備えたことを特徴とする請求項１から９いずれか１項に記載のカメラ。
【発明の詳細な説明】
【技術分野】
【０００１】
本発明は、三脚を取り付けるための三脚穴を備えたカメラに関する。
【背景技術】
【０００２】
従来よりデジタルスチルカメラ等のカメラには、三脚を取り付けるための三脚穴が設けられている。三脚は、夜間など光量が少ない状況下においてスローシャッタで撮影を行う場合や、セルフタイマーを用いて撮影を行う場合などにおいて、カメラに取り付けて使用される。
【０００３】
近年、ユーザの便宜を図るために、三脚の取り付けを検出する検出スイッチを三脚穴内に設け、三脚の取り付けに応じて各部を制御するようにしたカメラが種々提案されている（例えば、特許文献１〜４参照）。特許文献１記載のカメラは、三脚の取り付けに応じて自動的に電源を投入する。特許文献２記載のカメラは、三脚の取り付けに応じて最適な撮影モードを選択する。特許文献３記載のカメラは、三脚の取り付けに応じて手振れ補正モードを解除する。さらに、特許文献４記載のカメラは、三脚の取り付けに応じてシャッタレリーズを有効化する。
【特許文献１】特開２００３−３１５９０３号公報
【特許文献２】特開２００６−５３３８２号公報
【特許文献３】特開２００３−１８９１６４号公報
【特許文献４】特開平９−３０４８０２号公報
【発明の開示】
【発明が解決しようとする課題】
【０００４】
しかしながら、上記従来のカメラはいずれも三脚穴内に１つの検出スイッチを設けたものであり、三脚が不完全に取り付けられた場合に、そのことを検出することができない。三脚が正常に取り付けられていない状態で使用を続けると、カメラ本体に損傷を与える恐れがあるため、三脚が取り付けられたか否かのみならず、取り付け状態が正常であるか否かを正確に検出することが望まれている。
【０００５】
本発明は、上記問題を解決するために、三脚の取り付け状態を正確に検出することができるカメラを提供することを目的とする。
【課題を解決するための手段】
【０００６】
上記課題を解決するために本発明のカメラは、三脚の取り付けネジが取り付けられる三脚穴を有するカメラにおいて、前記三脚穴内の入り口近傍に配設され、前記取り付けネジの取り付けに応じてオン／オフする第１検出スイッチと、前記第１検出スイッチより前記三脚穴内の奥方向に配設され、前記取り付けネジの取り付けに応じてオン／オフする第２検出スイッチと、を備えたことを特徴とする。
【０００７】
なお、前記第２検出スイッチは、前記三脚穴の側面の奥方向の端部に配設されていることが好ましい。また、前記第２検出スイッチは、前記三脚穴の底面に配設されていることも好ましい。
【０００８】
また、前記第１及び第２検出スイッチのオン／オフ状態に応じて警告を報知する警告報知手段を備えたことが好ましい。前記警告報知手段は、警告を光または音により報知することが好ましい。
【０００９】
また、前記警告報知手段は、前記第１検出スイッチがオンでかつ前記第２検出スイッチがオフである状態が一定時間継続した場合に警告を報知することが好ましい。
【００１０】
また、前記警告報知手段は、前記第１検出スイッチがオフでかつ前記第２検出スイッチがオンの場合に警告を報知することが好ましい。
【００１１】
また、前記警告報知手段は、警告の報知を開始した後、一定時間経過後に報知を終了することが好ましい。
【００１２】
また、前記警告報知手段の警告報知動作を操作設定により事前に解除可能とする警告解除設定手段を備えたことが好ましい。
【００１３】
また、複数の撮影モードを有し、前記第１及び第２検出スイッチがオンとなった場合に、撮影モードを所定の撮影モードに変更する撮影モード自動変更手段を備えたことが好ましい。
【００１４】
また、手振れ補正モードを有し、前記撮影モード自動変更手段は、前記第１及び第２検出スイッチがオンとなった場合に、前記手振れ補正モードを解除することが好ましい。
【００１５】
さらに、複数の撮影モードを有し、前記第１及び第２検出スイッチがオンとなった場合に、操作設定により任意の撮影モードを選択可能とする撮影モード手動設定手段を備えたことが好ましい。
【発明の効果】
【００１６】
本発明では、三脚穴内の入り口近傍に第１検出スイッチを配設し、第１検出スイッチより三脚穴内の奥方向に第２検出スイッチを配設しているので、第１及び第２検出スイッチのン／オフ状態により三脚の取り付け状態を正確に検出することができる。
【００１７】
また、本発明では、第１検出スイッチがオンでかつ第２検出スイッチがオフである状態が一定時間継続した場合に警告を報知するので、ユーザは、三脚が不完全に取り付けられていることを認識することができる。
【００１８】
さらに、本発明では、第１検出スイッチがオフでかつ第２検出スイッチがオンの場合に警告を報知するので、ユーザは、検出スイッチの破損／劣化、三脚穴への異物の侵入、三脚の不適切な取り付け等の異常状態が生じていることを認識することができる。
【発明を実施するための最良の形態】
【００１９】
図１において、デジタルスチルカメラ２のカメラ本体３の前面には、撮影レンズ４を保持したレンズ鏡筒５、及びストロボ発光部６が配設され、上面には、電源ボタン７、モード切替ダイヤル８、レリーズボタン９等の操作部材が配設されている。電源ボタン７は電源のオン／オフに用いられ、モード切替ダイヤル８は動作モード（撮影モード、再生モード等）の切り替えに用いられ、レリーズボタン９は撮影操作に用いられる。
【００２０】
図２において、カメラ本体３の背面には、表示装置としての液晶モニタ（ＬＣＤ）１０、スピーカ１１、発光ダイオード（ＬＥＤ）１２の他、ズームボタン１３、十字ボタン１４、メニューボタン１５等の操作部材が配設されている。ＬＣＤ１０は、動作モードに応じて、撮影画像、再生画像、各種設定メニュー等の表示を行う。スピーカ１１は、音声、ボタン操作音等の出力を行う。ＬＥＤ１２は、発光によりユーザに警告等を報知する。
【００２１】
ズームボタン１３は、左右の２箇所が押圧操作可能とされ、ズーム操作に用いられる。十字ボタン１４は、上下左右の４箇所が押圧操作可能とされ、各種設定時の項目選択等に用いられる。メニューボタン１５は、略円環状の十字ボタン１４の内側に設けられており、設定メニューの呼び出しや、設定時のＯＫボタンとして用いられる。
【００２２】
また、カメラ本体３の底面には、三脚が取り付けられる三脚穴１６が形成されている。三脚穴１６は、例えば、「ＪＩＳ  Ｂ  ７１０３：カメラの三脚取付部」で規定された１／４インチサイズの略円筒状のネジ穴である。
【００２３】
図３において、三脚穴１６には、三脚２０の取り付けネジ２１が取り付けられることを検出するための第１検出スイッチ２２及び第２検出スイッチ２３が設けられている。第１検出スイッチ２２は、三脚穴１６内の入り口近傍に設けられた孔１６ａに挿通された略Ｌ字状の可動部２４と、弾性を有する一対の接片２５ａ，２５ｂとからなる。可動部２４は、端部２４ａが三脚穴１６の内部に突出するように、接片２５ａによって、三脚穴１６の側面に対して略垂直方向に付勢されている。なお、可動部２４の端部２４ａは尖っており、取り付けネジ２１が螺合される螺合部の一部となっている。
【００２４】
第２検出スイッチ２３は、三脚穴１６の側面の奥方向の端部に設けられた孔１６ｂに挿通された略Ｌ字状の可動部２６と、弾性を有する一対の接片２７ａ，２７ｂとからなる。同様に、可動部２６は、端部２６ａが三脚穴１６の内部に突出するように、接片２７ａによって、三脚穴１６の側面に対して略垂直方向に付勢されている。なお、可動部２６の端部２６ａは尖っており、取り付けネジ２１が螺合される螺合部の一部となっている。
【００２５】
第１検出スイッチ２２には、接片２５ａ，２５ｂの導通／非導通（オン／オフ状態）を検出する第１検出回路２８が接続されている。同様に、第２検出スイッチ２３には、接片２７ａ，２７ｂの導通／非導通（オン／オフ状態）を検出する第２検出回路２９が接続されている。図３に示すように、三脚穴１６に三脚２０の取り付けネジ２１が取り付けられていない場合には、接片２５ａ，２５ｂ及び接片２７ａ，２７ｂは、共に非導通状態であり、第１検出回路２８及び第２検出回路２９は、共にオフ信号をＣＰＵ３０（図６参照）に出力する。
【００２６】
図４は、取り付け途中の状態を示し、取り付けネジ２１の螺合によって第１検出スイッチ２２の可動部２４が押圧され、可動部２４が接片２５ａの弾性に抗して移動し、接片２５ａ，２５ｂを導通させている。このとき、第１検出回路２８は、オン信号をＣＰＵ３０に出力する。図５は、取り付けネジ２１が三脚穴１６の奥に達して完全に取り付けが完了した状態を示し、取り付けネジ２１の螺合によってさらに第２検出スイッチ２３の可動部２６が押圧され、可動部２６が接片２７ａの弾性に抗して移動し、接片２７ａ，２７ｂを導通させている。第１検出回路２８及び第２検出回路２９は、共にオン信号をＣＰＵ３０に出力する。
【００２７】
図６において、ＣＰＵ３０は、前述の各操作部材からなる操作部３１から入力される指示信号に応じてデジタルスチルカメラ２の各部の動作制御を行う。
【００２８】
撮影レンズ４の背後には、光軸に沿って、絞り３２及びＣＣＤ３３が配設されている。ＣＰＵ３０は、レンズ駆動部３４を制御して撮影レンズ４の位置調整を行い、また、絞り駆動部３５を制御して露光量の調整を行う。また、ＣＰＵ３０は、ＣＣＤ駆動部３６を介してＣＣＤ３３を駆動し、撮影レンズ４を通して撮像した被写体像を電気的な撮像信号として出力させる。なお、撮像素子としては、ＣＣＤに代えて、ＣＭＯＳ型等の固体撮像素子を用いても良い。
【００２９】
デジタルスチルカメラ２は、手振れ補正（手振れ軽減）機能を有し、ＣＣＤ３３は、不図示の保持部により、光軸に直交する方向に移動自在に保持されている。角速度検出部３７は、光軸に直交する２つの軸周りの角速度を検出するセンサであり、検出値をＣＰＵ３０に入力する。ＣＰＵ３０は、入力された角速度の検出値に基づいて手振れ補正量を算出し、補正駆動部３８を制御して、手振れ量を打ち消すようにＣＣＤ３３を変位させる。この手振れ補正モードは、操作部３１によりオン／オフの切り替えが可能である。
【００３０】
ＣＣＤ３３から出力された撮像信号は、アナログ信号処理部３９に入力され、ゲイン補正や２重相関サンプリング等のアナログ信号処理が施される。アナログ信号処理部３９から出力された撮像信号は、Ａ／Ｄ変換器４０に入力され、デジタル信号に変換される。Ａ／Ｄ変換器４０から出力された撮像信号は、データバス４１を介し、メモリ制御部４２により画像データとしてメインメモリ４３内に書き込まれる。
【００３１】
メモリ制御部４２は、データバス４１及び制御バス４４に接続されており、制御バス４３に接続されたＣＰＵ３０からの指示に基づき、メインメモリ４３から画像データの読み出しを行う。この他、データバス４１及び制御バス４４には、デジタル信号処理部４５、圧縮伸張処理部４６、外部メモリ制御部４７、及び表示制御部４８が接続されている。
【００３２】
デジタル信号処理部４５は、メインメモリ４３から読み出された画像データに対して、ＹＣ変換、ガンマ補正、輪郭補正、ホワイトバランス補正などの所定の画像処理を施す。圧縮伸張処理部４６は、デジタル信号処理部４５により画像処理が施された画像データに対して、ＪＰＥＧ圧縮などの所定の圧縮処理を施す。外部メモリ制御部４７は、装着されたメモリカード４９への画像データの書き込み、及びメモリカード４９に書き込まれた画像データの読み出しを行う。表示制御部４８は、ＬＣＤ１０への画像データの表示、及び設定画面の表示等を行う。
【００３３】
次に、三脚２０が取り付けられる際のデジタルスチルカメラ２の作用について、図７のフローチャートに基づいて説明を行う。まず、第１検出スイッチ２２の状態が第１検出回路２８によって判定され（ステップＳ１）、第１検出スイッチ２２がオン状態でない場合には、第２検出スイッチ２３の状態が第２検出回路２９によって判定される（ステップＳ２）。これは、第１検出スイッチ２２がオフ状態であって第２検出スイッチ２３がオン状態であるという異常な状態（検出スイッチ２２，２３の破損／劣化、三脚穴１６への異物の侵入、三脚２０の不適切な取り付け等による異常状態）を検出するための判定動作であり、第２検出スイッチ２３がオン状態と検出された場合（ステップＳ２のＹｅｓ）には、ＬＥＤ１２を点滅させることによりユーザに対して警告を報知する（ステップＳ３）。この後、時間計測が行われ、所定時間（例えば、５秒）が経過すると（ステップＳ４のＹｅｓ）、警告報知が終了する（ステップＳ５）。なお、時間計測は、ＣＰＵ３０によって行われる。
【００３４】
ステップＳ２において、第２検出スイッチ２３がオフ状態であると判定された場合には、ステップＳ１に戻り、再び第１検出スイッチ２２の判定が行われる。ステップＳ１において、第１検出スイッチ２２がオン状態であると判定された場合には、続いて同様に、第２検出スイッチ２３の判定が行われる（ステップＳ６）。第２検出スイッチ２３がオン状態でない場合には時間計測が行われ、オフ状態が所定時間（例えば、１０秒）経過すると（ステップＳ７のＹｅｓ）、ステップＳ３に移行し、上記と同様な警告報知動作が行われる。これは、第１検出スイッチ２２がオン状態であって第２検出スイッチ２３がオフ状態であるという、図４に示すような状態（三脚２０の取り付けが不完全な状態）が一定時間続いたことを検出するための判定動作である。
【００３５】
ステップＳ６において、第２検出スイッチ２３がオン状態であると判定された場合には、手振れ補正モードの設定に基づき、手振れ補正モードがオンとなっている場合には（ステップＳ８のＹｅｓ）、これを解除する（ステップＳ９）。手振れ補正モードがオフである場合には、解除動作は必要ないため、そのまま終了する。なお、デジタルスチルカメラ２は、図８に示すように、ＬＣＤ１０上に表示される設定画面により各種設定操作が可能となっており、手振れ補正モードのオン／オフ設定等が予めなされている。
【００３６】
このように、デジタルスチルカメラ２は、図５に示すように三脚２０が正常に取り付けられたことを正確に判定することができ、三脚２０の正常な取り付けに応じて、三脚２０の使用時に不要となる手振れ補正モードを自動的に解除する。手振れ補正モードは、電力を多く消費するモードであるため、この自動解除により、消費電力の浪費を防止するといった効果も得られる。
【００３７】
上記実施形態では、ユーザへの警告報知をＬＥＤ１２の発光によって行っているが、これに代えて、スピーカ１１からの音出力や、ＬＣＤ１０へのメッセージ表示などによって警告報知を行ってもよい。また、この警告報知に加えて、三脚２０が正常に取り付けられた際に、その旨をＬＥＤ１２、スピーカ１１、ＬＣＤ１０等を用いてユーザに報知することも好ましい。
【００３８】
また、上記実施形態では、三脚２０が正常に取り付けられた際に、手振れ補正モードを自動的に解除するようにしているが、この手振れ補正モードの解除に限られず、撮影モードを予め設定した撮影モードに自動的に変更するようにしてもよい。具体的には、図９に示すようにＬＣＤ１０上に表示される設定画面により、三脚装着時の移行先の撮影モード（セルフタイマーモード、夜景撮影モード等）を設定可能とし、図１０に示すように、三脚２０が正常に取り付けられた際（ステップＳ６のＹｅｓ）に、予め設定された撮影モードに移行させる（ステップＳ１０）。なお、ステップＳ１０以外は、上記各ステップと同一であり、同一の符号を付している。このように、三脚２０の取り付け時に使用される頻度の高いセルフタイマーモードや夜景撮影モードを予め設定しておくことにより、ユーザは、三脚２０の取り付け後、瞬時に撮影を行うことができる。
【００３９】
また、上記実施形態に、三脚２０が正常に取り付けられた際に、ユーザが任意の撮影モードを選択できるように手動設定モードを追加してもよい。具体的には、図１１に示すようにＬＣＤ１０上に表示される設定画面により、手動設定モード／自動設定モードの選択を可能とし、図１２に示すように、三脚２０が正常に取り付けられた際（ステップＳ６のＹｅｓ）には、手動設定モードが選択されているか否かを判定し（ステップＳ１１）、手動設定モードが選択されている場合には、図１３に示すように、ＬＣＤ１０上に表示される撮影モードの選択画面により、撮影モードの選択を可能とする（ステップＳ１２）。操作部３１により所望の撮影モードが選択されると（ステップＳ１３のＹｅｓ）、選択された撮影モードに移行する（ステップＳ１４）。一方、自動設定モードが選択されている場合には、上記と同様に、所定の撮影モードに移行する（ステップＳ１５）。なお、ステップＳ１１〜Ｓ１５以外は、上記各ステップと同一であり、同一の符号を付している。
【００４０】
また、上記実施形態における警告報知を、ユーザの設定により解除可能としてもよい。具体的には、図１４に示すようにＬＣＤ１０上に表示される設定画面により、警報報知モードのオン／オフ設定を可能とし、図１５に示すように、ステップＳ２またはステップＳ７においてＹｅｓ判定となった場合には、警告報知モードがオンであるか否か判定する（ステップＳ１６）。警告報知モードがオンと設定されている場合には、警告報知を行わずに終了し、警告報知モードがオフを設定されている場合には、上記と同様に、警告報知が行われる（ステップＳ３〜Ｓ５）。なお、ステップＳ１６以外は、上記各ステップと同一であり、同一の符号を付している。
【００４１】
また、上記実施形態では、第１検出スイッチ２２及び第２検出スイッチ２３を共に三脚穴１６の側面に設けているが、第２検出スイッチ２３は、側面に限られず、三脚穴１６の底面に設けてもよい。例えば、図１６に示すように、三脚穴１６の底面に形成された設けられた孔１６ｃに挿通された略Ｔ字状の可動部５０と、弾性を有する一対の接片２７ａ，２７ｂとにより第２検出スイッチ２３を構成してもよい。可動部５０は、端部５０ａが三脚穴１６の内部に突出するように、接片２７ａによって、三脚穴１６の底面に対して略垂直方向に付勢されている。取り付けネジ２１が三脚穴１６に螺合されると、取り付けネジ２１の頂面２１ａによって端部５０ａが押圧され、可動部５０が接片２７ａの弾性に抗して移動し、接片２７ａ，２７ｂを導通させる。
【００４２】
また、上記実施形態の第１検出スイッチ２２及び第２検出スイッチ２３としては、上記のような機械的な検出スイッチに限られず、フォトセンサ等、他種の検出スイッチを用いてもよい。
【００４３】
また、上記実施形態では、本発明の実施形態としてデジタルスチルカメラを例に挙げて説明しているが、本発明はこれに限定されることなく、デジタルビデオカメラ等の他種の電子カメラや、旧来の銀塩カメラにも適用可能である。
【００４４】
なお、請求項中の警告解除設定手段、撮影モード自動変更手段、撮影モード手動設定手段は、上記実施形態では、ＣＰＵ３０及び操作部３１により構成されている。
【図面の簡単な説明】
【００４５】
【図１】デジタルスチルカメラを前面側斜め上方から見た斜視図である。
【図２】デジタルスチルカメラを背面側斜め下方から見た斜視図である。
【図３】三脚穴の構造を示す断面図である。
【図４】三脚穴に三脚を取り付ける取り付け途中の様子を示す断面図である。
【図５】三脚穴に三脚が完全に取り付けられた様子を示す断面図である。
【図６】デジタルスチルカメラの内部構成を示すブロック図である。
【図７】三脚装着時のデジタルスチルカメラの作用を示すフローチャートである。
【図８】手振れ補正モードの設定画面を表示したＬＣＤの正面図である。
【図９】三脚装着時に移行する撮影モードの設定画面を表示したＬＣＤの正面図である。
【図１０】三脚装着時に所望の撮影モードに移行可能とした別の実施形態を示すフローチャートである。
【図１１】三脚装着時に撮影モードを手動設定するか否かを選択する設定画面を表示したＬＣＤの正面図である。
【図１２】三脚装着時に移行する撮影モードを、三脚装着時に手動設定によりに選択可能とした別の実施形態を示すフローチャートである。
【図１３】三脚装着時の手動設定画面を表示したＬＣＤの正面図である。
【図１４】警報報知モードのオン／オフ設定画面を表示したＬＣＤの正面図である。
【図１５】警報報知を解除可能とした別の実施形態を示すフローチャートである。
【図１６】三脚穴の構造に関する変形例を示す断面図である。
【符号の説明】
【００４６】
２  デジタルスチルカメラ
３  カメラ本体
４  撮影レンズ
９  レリーズボタン
１０  ＬＣＤ
１１  スピーカ
１２  ＬＥＤ
１６  三脚穴
２０  三脚
２１  取り付けネジ
２２  第１検出スイッチ
２３  第２検出スイッチ
２４  可動部
２５ａ，２５ｂ  接片
２６  可動部
２７ａ，２７ｂ  接片
２８  第１検出回路
２９  第２検出回路
３０  ＣＰＵ
３１  操作部
３７  角速度検出部
３８  補正駆動部
【図１】
2008233325.tif 000003
【図２】
2008233325.tif 000004
【図３】
2008233325.tif 000005
【図４】
2008233325.tif 000006
【図５】
2008233325.tif 000007
【図６】
2008233325.tif 000008
【図７】
2008233325.tif 000009
【図８】
2008233325.tif 000010
【図９】
2008233325.tif 000011
【図１０】
2008233325.tif 000012
【図１１】
2008233325.tif 000013
【図１２】
2008233325.tif 000014
【図１３】
2008233325.tif 000015
【図１４】
2008233325.tif 000016
【図１５】
2008233325.tif 000017
【図１６】
2008233325.tif 000018